(57)【要約】【課題】墓所などに設けられる石製の香炉台本体に嵌装して用いる扉付の香炉箱において、ろうそくや線香をのせる台板が引出可能な、簡単な構造の香炉箱を提供する。【解決手段】台板８が、箱２の底板ないし側壁内面に固定したガイドレール２５で引出可能に支持され、かつその引出状態で上方に着脱可能に装着されている。好ましい構造は、左右の扉４の開き角を９０度に規制するストッパ２３を設け、扉４の内面下部に固定された台板受１１を設ける。この台板受１１は、扉４が９０度開いた状態で引出された台板８の両側辺を支持する。引出した台板８が奥側の箱本体１と両側の扉４で囲まれた状態となるので、ろうそくの火を風から保護することができる。また、扉４の開き角が台板８の側辺で規制されるので、開いた扉４が風でばたつくこともない。【選択図】      図１
2006225876.tif 000002
【特許請求の範囲】
【請求項１】
石製の香炉台本体(30)の前面に設けた凹所ないし貫通孔に嵌装される箱(2)と、この箱の前面左右の縦縁(23)に枢着された両開き構造の扉(4)と、前記箱の底部に収納された着脱自在な台板(8)と、この台板上に配置されたろうそく立て(6)ないし線香立て(7)を備えた嵌め込み装着式の香炉箱において、前記台板が、前記箱の底板ないし側壁内面に固定したガイドレール(25)で引出可能に支持され、かつその引出状態で上方に着脱可能に装着されている、香炉箱。
【請求項２】
左右の扉(4)の開き角を９０度に規制するストッパ(23)と、当該扉の内面下部に固定された台板受(11)とを備え、この台板受は、前記扉が９０度開いた状態で引出された台板(8)の両側辺を支持することを特徴とする、請求項１記載の香炉箱。
【請求項３】
前記箱の天井面内側に引出式の庇板(31)を備えている、請求項１又は２記載の香炉箱。
【発明の詳細な説明】
【技術分野】
【０００１】
この発明は、墓所などに設けられる石製の香炉台本体に嵌装して用いる香炉箱に関するものである。
【背景技術】
【０００２】
墓所の香炉台は石製で、花台と共に墓石の前に設置されている。一般的な香炉台は、台の上面にろうそく立てや線香立てを設けたものであるが、風雨によってろうそくや線香の火が消えるのを防止した香炉台として、石の内部をくり貫いた凹所の底部にろうそく立てや線香受を設置し、更にその前面に両開きの扉を設けたものが提供されている。
【０００３】
しかし、石製の香炉台を正確な寸法にくり貫いてその前面の開口部に扉を設けるという加工は、非常に手間が掛かりかつ熟練を要するという問題がある。そこで、前面の左右両縁部に蝶番を介して観音開き式の一対の扉を取り付けたステンレス板製の香炉箱を、石製の香炉台をくり貫いて形成した凹所内に嵌め込み、その香炉箱の底部にろうそくや線香をのせる台板（香炉皿）を出し入れ自在に収納した構造の香炉台が、特許文献１で提案されている。
【０００４】
また特許文献２には、凹所に出し入れ自在な台板（灰皿）を備えた香炉台において、火を着けた線香を入れにくく、また灰の溜った灰皿も取出しにくいなどの問題があることから、灰皿を香炉台と平行を保持した状態で水平に手前側に引出せると共に、灰の溜った灰皿の取外しを容易にする回転引出し構造が提案されている。
【特許文献１】特開平９−２８５４９号公報
【特許文献２】特開２００３−１３８７８７公報
【発明の開示】
【発明が解決しようとする課題】
【０００５】
上記従来の引き出し可能な灰皿を備えた香炉台は、扉や灰皿が石製でかつ構造も複雑であるため、製作に手間が掛りコスト高になり、また扉の内側に取付けたろうそく立ては取外すことができない問題があった。
【０００６】
この発明は、石製の香炉台本体の凹所に嵌合して用いる扉付の香炉箱において、ろうそくや線香を香炉箱から引出した状態で燃焼させることができ、かつ汚れたろうそく立て及び線香台の清掃が容易にできる、簡単な構造の香炉箱を提供することを課題としている。
【課題を解決するための手段】
【０００７】
この発明は、石製の香炉台本体３０の前面に設けた凹所ないし貫通孔に嵌装される箱２と、この箱の前面左右の縦縁２３に枢着された両開き構造の扉４と、前記箱の底部に収納された着脱自在な台板８と、この台板上に配置されたろうそく立て６ないし線香立て７を備えた嵌め込み装着式の香炉箱において、前記台板が、前記箱の底板ないし側壁内面に固定したガイドレール２５で引出可能に支持され、かつその引出状態で上方に着脱可能に装着されている構造の、嵌め込み装着式の香炉箱１を提供することにより、上記課題を解決したものである。
【０００８】
台板８は、棒状や枠状のものにろうそく立て６や線香立て７を設けたものでも良いが、線香の灰を受けることができるような、板状ないし皿状のものが好ましい。上記構造の香炉箱１を装着した香炉台３０は、扉４を開けて台板８を引出した状態でろうそくや線香を燃焼させることができる。
【０００９】
本願請求項２の発明に係る香炉箱は、上記請求項１記載の香炉箱において、左右の扉４の開き角を９０度に規制するストッパ２３と、当該扉の内面下部に固定された台板受１１とを備え、この台板受は、前記扉が９０度開いた状態で引出された台板８の両側辺を支持することを特徴とするものである。
【００１０】
請求項２の構造によれば、引出した台板８の支持構造が簡単になると共に、引出した台板８が奥側の箱本体１と両側の扉４で囲まれた状態となるので、ろうそくの火を風から保護することができる。また、扉４の開き角が台板８の側辺で規制されるので、開いた扉４が風でばたつくこともない。
【００１１】
本願の請求項３の発明は、引出された台板８を覆う引出式の庇板３１を設けたもので、香炉箱１の天井面内側に引出式の庇板３１を備えていることを特徴とする、請求項１又は２記載の香炉箱である。この構造により、引出したろうそくや線香をより確実に風雨から保護することができ、降雨時でもろうそくや線香を引出して礼拝することができる。
【発明の効果】
【００１２】
この発明の香炉箱１を石材３０の前面に設けた凹所に嵌着して墓所などの香炉台とする。香炉箱の扉４を閉じた状態では、ろうそくや線香か香炉箱１内に収納されているが、扉４を開くと、台板８が引出し可能な状態となり、手で引手１７を引くことにより手前側へ引出される。従って、台板８を引出してろうそくや線香を立てたり火をつけることができ、風が引出した台板の両側に位置する扉４で遮られるので、火を着けやすく風で吹き消えるのも防止できるので、晴れた日には台板８を引出した状態で礼拝することができる。火を着けたあと台板８を押込んで扉４を閉じれば、ろうそくや線香は香炉箱内で燃焼し、雨や風で消えることがない。
【００１３】
ろうそく立て６や線香立て７が汚れたり破損したときは、台板８を引出して取外して清掃したり交換したりすることができる。また本願の請求項３の発明によれば、降雨時であっても、扉４を開いて庇板３１を引出すことにより、ろうそくや線香を香炉箱から引出した状態で燃焼させることができるという効果がある。
【発明を実施するための最良の形態】
【００１４】
以下、図面を参照してこの発明の好ましい実施形態の例を説明する。図１は、扉を開いた状態で示す香炉箱の斜視図、図２は扉を閉めた状態で示す香炉箱の断面平面図である。
【００１５】
香炉箱１は、ステンレス板製で、両側板、底板、天板及び奥板からなる箱２の前面左右の縦縁２３に蝶番２４で扉４を取り付けた構造である。縦縁２３は、両側板の前縁を内側に平面視でコ字形に折曲げて形成されており、蝶番２４は、その折曲げた内側面の若干奥側に取付けられている。縦縁２３の蝶番２４より手間側の内面は、扉４の開き角を略９０度に規定するストッパとなっている。縦縁２３の前端外側には、鍔５が形成されている。
【００１６】
箱２の中には、ろうそく立て６と線香立て７とを備えた台板８が収納されている。扉４には、ガラス板を嵌めた窓１３が設けられ、この窓の上下と箱２の奥板の上部とに通気孔１４、９が設けられている。扉４の扉板１０や窓１３のガラスにレリーフ模様や着色模様を設けることにより、種々の美観を付与することができる。
【００１７】
図３は、扉４を開き、台板８を取外した状態で、扉４と箱２の内側を示した斜視図、図４は、台板８の斜視図である。図３に示すように、箱２の底板の上面両側には、断面コ字形のガイドレール２５が固着されており、扉４の下縁は、上向きコ字形に折曲げられて、台板受１１が形成され、この台板受の前端には台板８の引出端を規定するストッパ２６が設けられている。
【００１８】
扉４を閉じたとき、台板受１１は箱２の底板上面の前縁部に進入する。このとき台板受１１の奥端とガイドレール２５の前端との干渉を避けるために、ガイドレール２５の前端下部と台板受１１の奥端は、平面視で斜め４５度の角度で切り落されている。
【００１９】
台板８は、正面から見て浅い下向きコ字形に折曲げたステンレス板製で、前縁中央に引手１７が折曲げ形成されており、上面にろうそく立て６及び線香立て７が取付けられている。台板８の左右に折曲げ形成された脚板８ａの下縁前後端は、台板８がガイドレール２５と台板受１１との間で円滑に滑動できるように、斜めの案内部８ｂが設けられている。ガイドレール２５は、この脚板８ａの上下及び外側面をガイドしており、台板８を引出したとき、脚板８ａが上向きコ字形の台板受１１の溝にに導かれる。
【００２０】
すなわち、両側の扉４を開くことによって、ガイドレール２５の手間側延長上に台板受１１が位置し、この状態で台板８を引出すと、台板８の脚板８ａがレール２５から台板受１１へと移動する。台板８の引出端は、台板受１１の前端のストッパ２６で規定される。台板受１１の長さは、この引出端において、脚板８ａの奥端がガイドレール２５の前端に係っている長さとする。これにより、引出した台板８を押込むときに脚板８ａの奥端とガイドレール２５の前端との衝突を避けることができ、引出した台板８の押込み動作が円滑になる。また、引出端で台板８の前縁を持上げて手前に引くことにより、台板８を取外すことができる。取外した台板８は、脚板８ａの奥端をガイドレール２５の前端に斜めに挿入して台板受１１に載せることにより、装着される。
【００２１】
台板受１１を引出した状態では、脚板８ａが台板受１１の溝に入り込むことにより、扉４の開き角が規定される。台板受１１の溝幅は、脚板８ａの板厚に摺動に必要な余裕を設けた幅であり、溝幅が狭い方が風などによる扉４のがたつきを防止できる。しかし溝幅が狭いと、台板８の引出を開始するときの、脚板８ａの前端が台板受１１に進入するときの動作の円滑さが低下する。好ましくは、扉４を開いたときの台板受１１の奥端の溝幅を前端の溝幅より広くする。これにより、台板８を引出すときに脚板８ａの前端が台板受１１の溝に円滑に導かれ、また扉４の開位置が引出した台板８で正確に規定されるようになる。
【００２２】
上記構造の香炉箱１は、墓所の墓石の前などに設置される石製の香炉台本体３０の前面に設けた凹所ないし貫通孔に、鍔５を香炉台本体の前面に密着させた状態で嵌装され、適宜接着などにより固定される。香炉箱の扉４を開い台板８を引出してろうそくや線香を立てて火をつける。その後台板８を押込んで扉４を閉じると、当該ろうそくや線香は香炉台３０内に収まる。香炉台３０内のろうそくの火は、扉の窓１３を通して見え、線香の煙は扉の通気孔１４及び箱２の奥面に設けた通気孔９を通って流れる。ろうそくや線香は風雨から保護されるので、火が消えることがない。台板８を引出したままにしておけば、ろうそくや線香は引き出された状態で燃焼する。このとき、ろうそくの炎や線香の火は、台板８の両側に位置する扉４で風から保護される。
【００２３】
図７に示すように、箱２の内側天井面に引出式の庇板３１を設けておけば、降雨時にも扉４を開いたままろうそくや線香を燃焼させることができる。庇板３１は、ステンレス板製で、図８に示すように、矩形板の両側縁を下向きに折曲げてスライド鍔３２が形成され、前縁中央部に下向きに折曲げた引手３３が形成されている。箱２の側壁内側上部には、このスライド鍔３２を案内する断面コ字形のスライドレール３４が設けられている。
【００２４】
扉４の内面上部には、上記スライドレール３４の内側下面と一致する高さの庇受３５が設けられている。スライドレール３４から引出された庇板３１は、この庇受３５で支持される。
【００２５】
スライド鍔３１の下縁前後端には、スライドレール３４と庇受３５との繋ぎ目を庇板３１が円滑に移動できるように、斜めの案内部３１ａ、３１ｂが形成されている。庇受３５の前端は、上向きに僅かに折曲げて、ストッパ３６が形成されている。このストッパ３６により、庇板３１の引出端が規定される。この引出端において、スライド鍔３１の後端はスライドレール３４の前端に僅かに挿入された状態となっており、そのまま押込むことにより庇板３１をスライドレール３４内に戻すことができる。また引出端で庇板３１の前端を持上げてストッパ３６を乗越えて引出すことにより、庇板３１を取外すことができる。庇板３１が煤などで汚れたときは、庇板３１を取外して清掃することができる。
【００２６】
なお図７の箱２の奥板の通気孔９（図１）には、リング状の鍔３７の内側に金網３８を設けた部品を取付けてあり、不潔になりやすい香炉台背面から虫や汚れが香炉箱１内に侵入するのを防止している。
【００２７】
この発明の香炉箱は、扉４を開いて台板８を引き出して、ろうそくや線香に火を着け、そのままの状態で燃焼させることも、火を着けた後台板８を箱内に押込んで扉を閉めた状態で燃焼させることもできる。更に引き出された台板８を単に持ち上げることによって、容易に取り外すことができ、ろうそくや線香の燃え滓の除去やろうそく立てや線香立ての清掃が極めて容易である。更に、ろうそく立て６や線香立て７、あるいは台板８が破損したときに、それらの修理及び交換も極めて容易にでき、また構造も簡単なので、安価に提供でき、ゴミの付着や錆などによる動作不良も避けることができるという特徴がある。
【図面の簡単な説明】
【００２８】
【図１】香炉箱の一実施例を示す斜視図
【図２】閉扉状態の香炉箱の断面平面図
【図３】扉と箱のの内側面を示す斜視図
【図４】台板を上方から見た斜視図
【図５】図１の香炉箱を設けた香炉台の一例を開扉状態で示す斜視図
【図６】図５の香炉台の閉扉状態の斜視図
【図７】庇板を備えた香炉箱の一部を破壊して示す部分斜視図
【図８】図７に示した庇板を下方から見た斜視図
【符号の説明】
【００２９】
２  箱
４  扉
６  ろうそく立て
７  線香立て
８  台板
11  台板受
23  ストッパ（縦縁）
25  ガイドレール
30  香炉台本体
31  庇板
【図１】
2006225876.tif 000003
【図２】
2006225876.tif 000004
【図３】
2006225876.tif 000005
【図４】
2006225876.tif 000006
【図５】
2006225876.tif 000007
【図６】
2006225876.tif 000008
【図７】
2006225876.tif 000009
【図８】
2006225876.tif 000010